(57)【要約】【課題】音声と静止画の再生が中断され、その後に音声と静止画の再生を再開するときに、静止画の切り換えられる時点から音声と静止画の再生を再開する。【解決手段】ＤＶＤオーディオプレーヤの電源をオフにするとき、直前に再生されていたグループの番号およびトラックの番号と、直前に再生されていた１の静止画情報に対応する表示リストの番号を記憶部に記憶する。再生が再開されたときには、記憶部に記憶されたグループ番号、トラック番号および表示リスト番号に基づいて、ＤＶＤオーディオプレーヤの電源をオフにする直前に再生されていた１の静止画情報の再生開始時間に対応する再生位置をトラックの再生再開位置に設定する。【選択図】　　　図９
2004110910.tif 000002
【特許請求の範囲】
【請求項１】
音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生装置であって、
前記音声情報を再生する音声再生手段と、
前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、
前記音声再生手段および前記静止画再生手段による再生が中断されたときに、中断直前に再生されていた１の静止画情報を特定する情報を中断情報として記憶する記憶手段と、
前記音声再生手段および前記静止画再生手段による再生を再開すべきときに、前記記憶手段に記憶された前記中断情報に基づいて前記音声情報の再生再開位置を設定する設定手段と
を備えたことを特徴とする情報再生装置。
【請求項２】
前記音声情報は複数の音声情報単位から構成されており、前記再生制御情報は前記各音声情報単位の再生中に再生される複数の静止画情報の再生開始時点をそれぞれ示すものであり、
前記記憶手段は、前記音声再生手段および前記静止画再生手段による再生が中断されたときに、前記中断情報に加え、中断直前に再生されていた１の音声情報単位を指し示す単位指示情報を記憶し、
前記設定手段は、前記音声再生手段および前記静止画再生手段による再生を再開すべきときに、前記記憶手段に記憶された前記単位指示情報と前記中断情報とに基づいて前記１の音声情報単位の再生再開位置を設定することを特徴とする請求項１に記載の情報再生装置。
【請求項３】
前記中断情報は、前記中断直前に再生されていた１の静止画情報の再生制御情報であることを特徴とする請求項１または２に記載の情報再生装置。
【請求項４】
前記中断情報は、前記中断直前に再生されていた１の静止画情報の再生制御情報を指し示す指示情報であることを特徴とする請求項１または２に記載の情報再生装置。
【請求項５】
前記中断情報は、前記中断直前に再生されていた１の静止画情報を指し示す指示情報であることを特徴とする請求項１または２に記載の情報再生装置。
【請求項６】
音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生装置であって、
前記音声情報を再生する音声再生手段と、
前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、
前記音声再生手段および前記静止画再生手段による再生が中断されたときに、中断時点に一番近い再生開始時点が割り当てられた１の静止画情報を特定する情報を中断情報として記憶する記憶手段と、
前記音声再生手段および前記静止画再生手段による再生を再開すべきときに、前記記憶手段に記憶された前記中断情報に基づいて前記音声情報の再生再開位置を設定する設定手段と
を備えたことを特徴とする情報再生装置。
【請求項７】
前記音声情報は複数の音声情報単位から構成されており、前記再生制御情報は前記各音声情報単位の再生中に再生される複数の静止画情報の再生開始時点をそれぞれ示すものであり、
前記記憶手段は、前記音声再生手段および前記静止画再生手段による再生が中断されたときに、前記中断情報に加え、中断直前に再生されていた１の音声情報単位を指し示す単位指示情報を記憶し、
前記設定手段は、前記音声再生手段および前記静止画再生手段による再生を再開すべきときに、前記記憶手段に記憶された前記単位指示情報と前記中断情報とに基づいて前記１の音声情報単位の再生再開位置を設定することを特徴とする請求項６に記載の情報再生装置。
【請求項８】
前記中断情報は、前記中断時点に一番近い再生開始時点が割り当てられた１の静止画情報の再生制御情報であることを特徴とする請求項６または７に記載の情報再生装置。
【請求項９】
前記中断情報は、前記中断時点に一番近い再生開始時点が割り当てられた１の静止画情報の再生制御情報を指し示す指示情報であることを特徴とする請求項６または７に記載の情報再生装置。
【請求項１０】
前記中断情報は、前記中断時点に一番近い再生開始時点が割り当てられた１の静止画情報を指し示す指示情報であることを特徴とする請求項６または７に記載の情報再生装置。
【請求項１１】
音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生装置であって、
前記音声情報を再生する音声再生手段と、
前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、
前記音声再生手段および前記静止画再生手段による再生が中断されたときに、その中断時点を示す情報を中断情報として記憶する記憶手段と、
前記音声再生手段および前記静止画再生手段による再生を再開すべきときに、前記記憶手段に記憶された前記中断情報に基づいて中断直前に再生されていた１の静止画情報を特定し、これに基づいて前記音声情報の再生再開位置を設定する設定手段と
を備えたことを特徴とする情報再生装置。
【請求項１２】
前記音声情報は複数の音声情報単位から構成されており、前記再生制御情報は前記各音声情報単位の再生中に再生される複数の静止画情報の再生開始時点をそれぞれ示すものであり、
前記記憶手段は、前記音声再生手段および前記静止画再生手段による再生が中断されたときに、前記中断情報に加え、中断直前に再生されていた１の音声情報単位を指し示す単位指示情報を記憶し、
前記設定手段は、前記音声再生手段および前記静止画再生手段による再生を再開すべきときに、前記記憶手段に記憶された前記単位指示情報に基づいて前記中断直前に再生されていた１の音声情報単位を特定すると共に、前記記憶手段に記憶された前記中断情報に基づいて前記中断直前に再生されていた１の静止画情報を特定し、これらに基づいて前記１の音声情報単位の再生再開位置を設定することを特徴とする請求項１１に記載の情報再生装置。
【請求項１３】
前記設定手段は、前記記憶手段に記憶された中断情報に基づいて前記中断直前に再生されていた１の静止画情報の再生開始時点に対応する前記音声情報の再生位置を前記音声情報の再生再開位置に設定することを特徴とする請求項１１または１２に記載の情報再生装置。
【請求項１４】
音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生装置であって、
前記音声情報を再生する音声再生手段と、
前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、
前記音声再生手段および前記静止画再生手段による再生が中断されたときに、その中断時点を示す情報を中断情報として記憶する記憶手段と、
前記音声再生手段および前記静止画再生手段による再生を再開すべきときに、前記記憶手段に記憶された前記中断情報に基づいて中断時点に一番近い再生開始時点が割り当てられた１の静止画情報を特定し、これに基づいて前記音声情報の再生再開位置を設定する設定手段と
を備えたことを特徴とする情報再生装置。
【請求項１５】
前記音声情報は複数の音声情報単位から構成されており、前記再生制御情報は前記各音声情報単位の再生中に再生される複数の静止画情報の再生開始時点をそれぞれ示すものであり、
前記記憶手段は、前記音声再生手段および前記静止画再生手段による再生が中断されたときに、前記中断情報に加え、中断直前に再生されていた１の音声情報単位を指し示す単位指示情報を記憶し、
前記設定手段は、前記音声再生手段および前記静止画再生手段による再生を再開すべきときに、前記記憶手段に記憶された前記単位指示情報に基づいて前記中断直前に再生されていた１の音声情報単位を特定すると共に、前記記憶手段に記憶された前記中断情報に基づいて前記中断時点に一番近い再生開始時点が割り当てられた１の静止画情報を特定し、これらに基づいて前記１の音声情報単位の再生再開位置を設定することを特徴とする請求項１４に記載の情報再生装置。
【請求項１６】
前記設定手段は、前記記憶手段に記憶された中断情報に基づいて前記中断時点に一番近い再生開始時点が割り当てられた１の静止画情報の再生開始時点を特定し、当該１の静止画情報の再生開始時点に対応する前記１の音声情報単位の再生位置を前記１の音声情報単位の再生再開位置に設定することを特徴とする請求項１４または１５に記載の情報再生装置。
【請求項１７】
コンピュータを請求項１ないし１６のいずれかに記載の情報再生装置として機能させることを特徴とするコンピュータプログラム。
【請求項１８】
音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生方法であって、
前記音声情報を再生する音声再生工程と、
前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、
前記音声再生工程および前記静止画再生工程における再生が中断されたときに、中断直前に再生されていた１の静止画情報を特定する情報を中断情報として記憶する記憶工程と、
前記音声情報および前記静止画情報の再生を再開すべきときに、前記記憶工程において記憶された前記中断情報に基づいて前記音声情報の再生再開位置を設定する設定工程と
を備えたことを特徴とする情報再生方法。
【請求項１９】
音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生方法であって、
前記音声情報を再生する音声再生工程と、
前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、
前記音声再生工程および前記静止画再生工程における再生が中断されたときに、中断時点に一番近い再生開始時点が割り当てられた１の静止画情報を特定する情報を中断情報として記憶する記憶工程と、
前記音声情報および前記静止画情報の再生を再開すべきときに、前記記憶工程において記憶された前記中断情報に基づいて前記音声情報の再生再開位置を設定する設定工程と
を備えたことを特徴とする情報再生方法。
【請求項２０】
音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生方法であって、
前記音声情報を再生する音声再生工程と、
前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、
前記音声再生工程および前記静止画再生工程における再生が中断されたときに、その中断時点を示す情報を中断情報として記憶する記憶工程と、
前記音声情報および前記静止画情報の再生を再開すべきときに、前記記憶工程において記憶された前記中断情報に基づいて中断直前に再生されていた１の静止画情報を特定し、これに基づいて前記音声情報の再生再開位置を設定する設定工程と
を備えたことを特徴とする情報再生方法。
【請求項２１】
音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生方法であって、
前記音声情報を再生する音声再生工程と、
前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、
前記音声再生工程および前記静止画再生工程における再生が中断されたときに、その中断時点を示す情報を中断情報として記憶する記憶工程と、
前記音声情報および前記静止画情報の再生を再開すべきときに、前記記憶工程において記憶された前記中断情報に基づいて中断時点に一番近い再生開始時点が割り当てられた１の静止画情報を特定し、これに基づいて前記音声情報の再生再開位置を設定する設定工程と
を備えたことを特徴とする情報再生方法。
【発明の詳細な説明】
【０００１】
【発明の属する技術分野】
本発明は、例えばＤＶＤオーディオプレーヤなど、音声情報と共に静止画情報を再生する情報再生装置および情報再生方法に関する。
【０００２】
【従来の技術】
例えばＤＶＤオーディオプレーヤ等の情報再生装置には、音声だけでなく静止画を再生する機能を有するものがある。具体的には、ＤＶＤ等の記録媒体に、音声情報と、複数の静止画情報と、音声情報の再生中における複数の静止画情報の再生開始時点等をそれぞれ示す再生制御情報が記憶されており、この記録媒体を情報再生装置で再生すると、音声情報が再生されると同時に静止画情報が再生される。
【０００３】
静止画の再生方法は様々あるが、そのうちの一例を挙げると、音声の再生中に、複数の静止画を１枚ずつ既定の時間間隔で切り換えながら再生する方法（スライドショー再生）がある。上述した再生制御情報には、各静止画情報の再生開始時点が記述されており、情報再生装置は、音声情報の再生中に、この再生制御情報に基づいて各静止画情報を順次切り換えながら再生する。これにより、音声情報の再生と静止画情報の再生とを同期させることができ、スライドショー再生が実現される。
【０００４】
【特許文献１】
特開２００１−２８５７８３号公報（第３−５頁、第６図）
【０００５】
【発明が解決しようとする課題】
ところで、情報再生装置が記録媒体に記録された情報を再生している途中で、ユーザが、再生を中断すべく、情報再生装置の電源をオフにしたとする。そして、その直後またはしばらく時間が経った後、ユーザが再び情報再生装置の電源をオンにし、記録媒体に記録された情報の再生を再開したとする。このとき、通常、情報再生装置は、ユーザからの特別な指示がない限り、記録媒体に記録された情報を最初から再生する。
【０００６】
しかし、ユーザが再び情報再生装置の電源をオンにし、記録媒体に記憶された情報の再生を再開するときには、前回再生を中断した位置から再生が再開されると便利である。
【０００７】
そこで、従来の情報再生装置には、情報再生装置の電源がオフにされるときに、今まで再生していた情報の再生時間をメモリ等に記憶しておき、その後に情報再生装置の電源がオンにされたときに、メモリ等に記憶しておいた再生時間を読み出して、その再生時間から情報の再生再開位置を求め、その再生再開位置から情報の再生を再開する機能を備えたものがある。
【０００８】
ところが、音声だけでなく静止画を再生する機能を備えた情報再生装置においてスライドショー再生を行う場合には、音声と静止画とが同期しながら再生されるので、単に前回の音声の再生時間に基づいて再生再開位置を決めるのみでは、以下に述べるような問題がある。
【０００９】
例えば、前回、音声と静止画の再生を中断した時点が、静止画が切り換えられる直前であった場合、単に前回の音声の再生時間に基づいて再生再開位置を決めると、再生再開の直後に静止画が切り換えられてしまう。この場合、ユーザはその静止画をゆっくり見ることができず、不便である。
【００１０】
また、スライドショー再生においては、静止画が切り換えられる時点が、音楽の楽章が変わる時点や、音楽がテーマからさびに変わる時点等に一致するように予め設定されている場合がある。このような場合には、再生再開位置を静止画が切り換えられる位置に合わせ込めば、音楽の再生を、楽章の変わり目やテーマとさびの変わり目から再開することができる。これにより、ユーザは音楽を心地よく聴くことができる。ところが、従来の情報再生装置によれば、このような再生の再開を実現することができない。
【００１１】
本発明は上記に例示したような問題点に鑑みなされたものであり、本発明の目的は、音声と静止画の再生が中断され、その後に音声と静止画の再生を再開するときに、静止画の切り換えられる時点から音声と静止画の再生を再開することができる情報再生装置および情報再生方法を提供することにある。
【００１２】
【課題を解決するための手段】
上記課題を解決するために請求項１に記載の情報再生装置は、音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生装置であって、前記音声情報を再生する音声再生手段と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、前記音声再生手段および前記静止画再生手段による再生が中断されたときに、中断直前に再生されていた１の静止画情報を特定する情報を中断情報として記憶する記憶手段と、前記音声再生手段および前記静止画再生手段による再生を再開すべきときに、前記記憶手段に記憶された前記中断情報に基づいて前記音声情報の再生再開位置を設定する設定手段とを備えたことを特徴とする。
【００１３】
上記課題を解決するために請求項６に記載の情報再生装置は、音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生装置であって、前記音声情報を再生する音声再生手段と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、前記音声再生手段および前記静止画再生手段による再生が中断されたときに、中断時点に一番近い再生開始時点が割り当てられた１の静止画情報を特定する情報を中断情報として記憶する記憶手段と、前記音声再生手段および前記静止画再生手段による再生を再開すべきときに、前記記憶手段に記憶された前記中断情報に基づいて前記音声情報の再生再開位置を設定する設定手段とを備えたことを特徴とする。
【００１４】
上記課題を解決するために請求項１１に記載の情報再生装置は、音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生装置であって、前記音声情報を再生する音声再生手段と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、前記音声再生手段および前記静止画再生手段による再生が中断されたときに、その中断時点を示す情報を中断情報として記憶する記憶手段と、前記音声再生手段および前記静止画再生手段による再生を再開すべきときに、前記記憶手段に記憶された前記中断情報に基づいて中断直前に再生されていた１の静止画情報を特定し、これに基づいて前記音声情報の再生再開位置を設定する設定手段とを備えたことを特徴とする。
【００１５】
上記課題を解決するために請求項１４に記載の情報再生装置は、音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生装置であって、前記音声情報を再生する音声再生手段と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、前記音声再生手段および前記静止画再生手段による再生が中断されたときに、その中断時点を示す情報を中断情報として記憶する記憶手段と、前記音声再生手段および前記静止画再生手段による再生を再開すべきときに、前記記憶手段に記憶された前記中断情報に基づいて中断時点に一番近い再生開始時点が割り当てられた１の静止画情報を特定し、これに基づいて前記音声情報の再生再開位置を設定する設定手段とを備えたことを特徴とする。
【００１６】
上記課題を解決するために請求項１１に記載のコンピュータプログラムは、コンピュータを請求項１ないし１６のいずれかに記載の情報再生装置として機能させることを特徴とする。
【００１７】
上記課題を解決するために請求項１８に記載の情報再生方法は、音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生方法であって、前記音声情報を再生する音声再生工程と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、前記音声再生工程および前記静止画再生工程における再生が中断されたときに、中断直前に再生されていた１の静止画情報を特定する情報を中断情報として記憶する記憶工程と、前記音声情報および前記静止画情報の再生を再開すべきときに、前記記憶工程において記憶された前記中断情報に基づいて前記音声情報の再生再開位置を設定する設定工程とを備えたことを特徴とする。
【００１８】
上記課題を解決するために請求項１９に記載の情報再生方法は、音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生方法であって、前記音声情報を再生する音声再生工程と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、前記音声再生工程および前記静止画再生工程における再生が中断されたときに、中断時点に一番近い再生開始時点が割り当てられた１の静止画情報を特定する情報を中断情報として記憶する記憶工程と、前記音声情報および前記静止画情報の再生を再開すべきときに、前記記憶工程において記憶された前記中断情報に基づいて前記音声情報の再生再開位置を設定する設定工程とを備えたことを特徴とする。
【００１９】
上記課題を解決するために請求項２０に記載の情報再生方法は、音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生方法であって、前記音声情報を再生する音声再生工程と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、前記音声再生工程および前記静止画再生工程における再生が中断されたときに、その中断時点を示す情報を中断情報として記憶する記憶工程と、前記音声情報および前記静止画情報の再生を再開すべきときに、前記記憶工程において記憶された前記中断情報に基づいて中断直前に再生されていた１の静止画情報を特定し、これに基づいて前記音声情報の再生再開位置を設定する設定工程とを備えたことを特徴とする。
【００２０】
上記課題を解決するために請求項２１に記載の情報再生方法は、音声情報と、複数の静止画情報と、前記音声情報の再生中における前記複数の静止画情報の再生開始時点をそれぞれ示す再生制御情報とに基づいて、前記音声情報および前記複数の静止画情報を再生する情報再生方法であって、前記音声情報を再生する音声再生工程と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、前記音声再生工程および前記静止画再生工程における再生が中断されたときに、その中断時点を示す情報を中断情報として記憶する記憶工程と、前記音声情報および前記静止画情報の再生を再開すべきときに、前記記憶工程において記憶された前記中断情報に基づいて中断時点に一番近い再生開始時点が割り当てられた１の静止画情報を特定し、これに基づいて前記音声情報の再生再開位置を設定する設定工程とを備えたことを特徴とする。
【００２１】
【発明の実施の形態】
以下、本発明の実施の形態を説明する。
【００２２】
（第１実施形態）
本発明の第１実施形態について図１ないし図４に基づいて説明する。
【００２３】
まず、第１実施形態にかかる情報再生装置の構成について図１を参照して説明する。図１は第１実施形態にかかる情報再生装置の構成を示している。第１実施形態にかかる情報再生装置１０は、音声情報と、複数の静止画情報と、音声情報の再生中における複数の静止画情報の再生開始時点をそれぞれ示す再生制御情報とに基づいて、音声情報および複数の静止画情報を再生する装置である。
【００２４】
情報再生装置１０は、例えばＤＶＤオーディオプレーヤ、ＤＶＤカラオケプレーヤ等である。なお、情報再生装置１０は、記録媒体に記録された音声情報および静止画情報を再生するタイプの情報再生装置であると、例えばインターネット等から配信される音声情報および静止画情報を再生するタイプの情報再生装置であるとを問わない。
【００２５】
音声情報とは、例えば、音楽等の音声を何らかの信号またはデータに変換したものである。静止画情報とは、静止画を何らかの信号またはデータに変換したものである。また、１の静止画情報は１枚の静止画に対応するのが最も単純な構成である。しかし、かかる構成に限定されない。
【００２６】
再生制御情報とは、音声情報の再生中における複数の静止画情報の再生開始時点をそれぞれ示す情報である。静止画情報の再生開始時点を示す方法は様々考えられる。例えば、音声情報の再生開始時点から静止画情報の再生開始時点までの時間を記述する方法や、複数の静止画情報の再生順序と各静止画情報の表示期間を記述する方法等が考えられる。いずれにしても、音声情報の再生中における各静止画情報の再生開始時点を特定することができれば、その方法は限定されない。
【００２７】
音声情報、静止画情報および再生制御情報は、ＤＶＤ等の記録媒体に記録されている場合もあれば、インターネット等から配信される場合もあり得る。
【００２８】
図１に示すように、情報再生装置１０は、音声情報を再生する音声再生手段１１と、音声情報の再生中において、再生制御情報に基づいて、再生開始時点が到来する度に当該時点に再生すべき１の静止画情報を再生し、これを繰り返すことによって複数の静止画情報を順次切り換えながら再生する静止画再生手段１２と、音声再生手段１１および静止画再生手段１２による再生が中断されたときに、中断直前に再生されていた１の静止画情報を特定する情報を中断情報として記憶する記憶手段１３と、音声再生手段１１および静止画再生手段１２による再生を再開すべきときに、記憶手段１３に記憶された中断情報に基づいて音声情報の再生再開位置を設定する設定手段１４とを備えている。
【００２９】
音声再生手段１１は、例えば記録媒体に記録された音声情報を再生する場合には、記録媒体から音声情報を読み取る読取手段（例えば光ピックアップ、磁気ヘッド等）と、記録媒体から読み取った音声情報を音声に変換する手段（例えばデコーダ等）等を備えている。
【００３０】
静止画再生手段１２は、複数の静止画を例えば１枚ずつ切り換えながら再生することにより、いわゆるスライドショー再生を実現する手段である。静止画再生手段１２は、再生制御情報に基づいて各静止画情報を再生する。再生制御情報には、上述したように、音声情報の再生中における各静止画情報の再生開始時点を示す情報が記述されている。静止画再生手段１２は、再生制御情報に基づいて各静止画情報の再生開始時点を認識し、各再生開始時点が到来する度に当該時点に再生すべき１の静止画情報を再生し、これを繰り返すことによって複数の静止画情報を順次切り換えながら再生する。
【００３１】
記憶手段１３は、音声再生手段１１および静止画再生手段１２による再生が中断されたときに、中断情報を記憶する。記憶手段１３は、再生の中断を認識する手段と、中断情報を記憶保持するためのメモリ等を備えている。
【００３２】
再生が中断されたときとは、例えば、音声および静止画の再生を停止または一時中止する指示が入力されたとき、情報再生装置１０の電源をオフにする指示が入力されたとき、情報再生装置１０を省力モードに切り換える指示が入力されたとき、情報再生装置１０が自ら再生を停止し、一時中止し、電源をオフにし、または省力モードに切り換えるときなどが考えられる。
【００３３】
中断情報とは、中断直前に再生されていた１の静止画情報を特定することができる情報である。中断情報は、中断直前に再生されていた１の静止画情報を特定することができる情報であれば何でもよい。
【００３４】
設定手段１４は、音声再生手段１１および静止画再生手段１２による再生を再開すべきときに、記憶手段１３に記憶された中断情報に基づいて音声情報の再生再開位置を設定する。
【００３５】
再生を再開すべきときとは、音声および静止画の再生が停止されまたは一時中止とされた後に、当該音声および静止画の再生を再開すべき指示が入力されたとき、情報再生装置１０の電源がオフにされた後に、情報再生装置１０の電源がオンにされたとき、情報再生装置１０が省力モードに切り換えられた後に、情報再生装置１０が通常モードに復帰したときなどが考えられる。
【００３６】
また、上述したように、中断情報とは、中断直前に再生されていた１の静止画情報を特定することができる情報である。したがって、設定手段１４は、記憶手段１３により記憶された中断情報に基づいて、中断直前に再生されていた１の静止画情報を特定することができる。そして、設定手段１４は、当該１の静止画情報が再生されるべき期間のうちのいずれかの時点に対応する再生位置を特定し、これを音声情報の再生開始位置として設定する。
【００３７】
次に、中断情報の実施態様について説明する。上述したように、中断情報は、中断直前に再生されていた１の静止画情報を特定することができる情報であれば何でもよい。具体的には中断情報を以下のように構成することができる。
【００３８】
例えば、中断情報として、中断直前に再生されていた１の静止画情報の再生制御情報を記憶する構成としてもよい。上述したように、再生制御情報とは、各静止画情報の再生開始時点を示す情報であるので、中断直前に再生されていた１の静止画情報の再生制御情報を記憶すれば、これに基づいて、中断直前に再生されていた１の静止画情報を特定することができると共に、当該１の静止画情報の再生開始時点を特定することができる。
【００３９】
また、中断情報として、中断直前に再生されていた１の静止画情報の再生制御情報を指し示す指示情報を記憶する構成としてもよい。この指示情報とは、例えば、当該１の静止画情報の再生制御情報が記録されている記録媒体上のアドレス、当該１の静止画情報の再生制御情報に割り当てられた番号または順番などである。かかる指示情報を記憶すれば、この指示情報に基づいて、中断直前に再生されていた１の静止画情報の再生制御情報を特定することができ、さらにこの再生制御情報に基づいて、当該１の静止画情報、さらにはその再生開始時点を特定することができる。
【００４０】
また、中断情報として、中断直前に再生されていた１の静止画情報を指し示す指示情報を記憶する構成としてもよい。例えば、各静止画情報に割り当てられている再生開始時点が１つである場合（すなわち、１の静止画情報が再生される場所が１箇所である場合）には、中断直前に再生されていた１の静止画情報自体を指し示す指示情報を記憶すれば、この指示情報に基づいて当該１の静止画情報を特定することができる。さらに、これに基づいて、当該１の静止画情報の再生開始時点を特定することができる。
【００４１】
中断情報をこのように構成すれば、中断情報に基づいて、中断直前に再生されていた１の静止画情報を容易に特定することができると共に、当該１の静止画情報の再生開始時点をも特定することができる。その結果、音声情報および静止画情報の再生を再開するときには、設定手段１４により、この中断情報に基づいて、中断直前に再生されていた１の静止画情報の再生開始時点を特定することができ、この再生開始時点に対応する再生位置を音声情報の再生開始位置として設定することができる。
【００４２】
次に、第１実施形態にかかる情報再生装置１０の再生動作について、図２ないし図４を参照しつつ具体的に説明する。
【００４３】
まず、図２は、音声情報Ｍと、音声情報Ｍの再生中に再生される静止画情報ＡないしＥとの再生時における時間関係を例示している。すなわち、図２中の横軸は再生時間ｔを示す。そして、再生時間ｔがＴ０の時（図２においてＴ０は０である）に音声情報Ｍの再生が開始され、再生時間ｔがＴ５の時に音声情報Ｍの再生が終了する。また、再生時間ｔがＴ０の時に音声情報Ｍの再生が開始されると同時に静止画情報Ａの再生が開始される。そして、再生時間ｔがＴ１の時には、再生される静止画情報が静止画情報Ａから静止画情報Ｂに切り換えられる。さらに、再生時間ｔがＴ２の時には、再生される静止画情報が静止画情報Ｂから静止画情報Ｃに切り換えられる。同様にして、再生時間ｔがＴ３の時には、再生される静止画情報が静止画情報Ｃから静止画情報Ｄに切り換えられ、再生時間ｔがＴ４の時には、再生される静止画情報が静止画情報Ｄから静止画情報Ｅに切り換えられる。そして、再生時間ｔがＴ５に達すると、音声情報Ｍの再生の終了と同時に静止画情報Ｅの再生が終了する。
【００４４】
以下、図２に示すような音声情報Ｍと、静止画情報ＡないしＥと、静止画情報ＡないしＥの再生開始時点Ｔ０ないしＴ４をそれぞれ示す再生制御情報が例えばＤＶＤ等の記録媒体に記録されており、情報再生装置１０が、この記録媒体からこれらの情報を読み出して再生する場合を例に挙げる。
【００４５】
この場合、記録媒体を情報再生装置１０に装填し、ユーザが再生開始の指示を入力すると、情報再生装置１０の音声再生手段１１が音声情報Ｍの再生を開始する（ｔ＝Ｔ０＝０）。このとき、静止画情報Ａの再生開始時点はＴ０なので、静止画再生手段１２は、再生制御情報に基づいて、静止画情報Ａの再生を開始する。この結果、音声情報Ｍの再生と静止画情報Ａの再生が同時に開始される。
【００４６】
次に、図３は、図２に示す音声情報Ｍと静止画情報ＡないしＥの再生が開始された後の状態を示している。すなわち、図３中の斜線の部分は、再生が実際に実行された部分を示している。
【００４７】
図３に示すように、音声情報Ｍと静止画情報Ａの再生が開始され、再生時間ｔが静止画情報Ｂの再生開始時点Ｔ１に達すると、静止画再生手段１２は、再生すべき静止画情報を静止画情報Ａから静止画情報Ｂに切り換える。
【００４８】
さらに、図３に示すように、再生時間ｔが静止画情報Ｂの再生開始時点Ｔ１（例えば１分）を経過し、かつ静止画情報Ｃの再生開始時点Ｔ２（例えば１分５０秒）に達する前の時点ｔａ（例えば１分３０秒）で、ユーザが電源をオフにする指示を情報再生装置１０に対し入力したとする。この指示を受けて、音声再生手段１１および静止画再生手段１２は、時点ｔａで音声情報および静止画情報Ｂの再生を中断する。
【００４９】
さらに、このとき、記憶手段１３は、中断直前に再生されていた静止画情報Ｂを特定する情報、例えば静止画情報Ｂの再生開始時点Ｔ１を示す数値を中断情報としてメモリ等に記憶する。その後、情報再生装置１０の電源がオフとなる。なお、情報再生装置１０の電源がオフになっても記憶手段１３により記憶された中断情報は消えずに残っている。
【００５０】
次に、図４は、情報再生装置１０の電源がオフにされた後に、情報再生装置１０の電源がオンにされ、図２に示す音声情報Ｍおよび静止画情報の再生が再開された状態を示している。すなわち、図４中の斜線の部分は、再生が再開された部分を示している。
【００５１】
図４に示すように、情報再生装置１０の電源がオフにされた後に、ユーザが情報再生装置１０の電源がオンにし、音声情報Ｍおよび静止画情報の再生を再開すべき指示を情報再生装置１０に対し入力すると、設定手段１４は、記憶手段１３により記憶された中断情報に基づいて、音声情報Ｍの再生再開位置を設定する。すなわち、この例では、中断情報として記憶手段１３により記憶された情報は、静止画情報Ｂの再生開始時点Ｔ１を示す数値である。したがって、設定手段１４は、再生開始時点Ｔ１に対応する音声情報Ｍの再生位置を特定し、これを音声情報Ｍの再生再開位置に設定する。この結果、音声再生手段による音声情報Ｍの再生が時点Ｔ１に対応する位置から再開され、これと同時に静止画再生手段による静止画情報Ｂの再生が時点Ｔ１に対応する位置から再開される。
【００５２】
以上より、第１実施形態にかかる情報再生装置１０によれば、再生が中断されたときに、中断直前に再生されていた１の静止画情報を特定する情報を中断情報として記憶し、再生を再開すべきときには、この記憶保持された中断情報に基づいて音声情報の再生再開位置を設定する構成としたから、再生を中断しても、再生を中断した位置ないしその周辺の位置から再生を再開することができる。これにより、ユーザは、一度音楽の再生を中断しても、何ら操作をすることなしに、または簡単な操作をするだけで、音楽の続きを楽しむことができる。
【００５３】
さらに、中断直前に再生されていた１の静止画情報の再生開始時点に対応する再生位置を、音声情報の再生再開位置に設定する構成とすれば、音声情報の再生再開位置を静止画情報の切り換えられる位置と一致させることができる。確かに、図３および図４に示す例によれば、この結果、再生中断位置（図３中のｔａ）と再生再開位置（図４中のＴ１）とがずれることとなる。しかし、再生再開位置を、静止画情報がＡからＢへ切り換えられる位置に一致させることにより、ユーザは、再生再開時に静止画情報Ｂの再生をはじめから楽しむことができる。すなわち、もし、中断時点ｔａから再生が再開されるとすると、再生再開時に静止画情報Ｂが再生される時間は短い。とすれば、ユーザは、静止画情報Ｂをゆっくり見ることができない。しかし、本実施形態のように、中断時点がｔａであっても、再生再開位置を時点Ｔ１に対応する位置とし、静止画情報Ｂの先頭から再生を再開すれば、ユーザは静止画情報Ｂをゆっくり見ることができる。
【００５４】
また、静止画情報が切り換えられる時点が、音楽における楽曲の変わり目やテーマからさびへの変わり目に設定されている場合には、楽曲の変わり目やテーマからさびへの変わり目から音楽の再生が再開されることとなる。したがって、ユーザは、再生再開後、音楽を心地よく聴くことができる。
【００５５】
次に、第１実施形態にかかる情報再生装置１０の変形例について説明する。
【００５６】
音声情報が複数の音声情報単位から構成されており、再生制御情報が各音声情報単位の再生中に再生される複数の静止画情報の再生開始時点をそれぞれ示すものである場合には、記憶手段１３を、音声再生手段１１および静止画再生手段１２による再生が中断されたときに、中断情報に加え、中断直前に再生されていた１の音声情報単位を指し示す単位指示情報を記憶する構成とし、設定手段１４を、音声再生手段１１および静止画再生手段１２による再生を再開すべきときに、記憶手段１３に記憶された単位指示情報と中断情報とに基づいて１の音声情報単位の再生再開位置を設定する構成としてもよい。
【００５７】
例えば、音声情報が、複数のグループやトラック等の複数の音声情報単位から構成されている場合がある。この場合、再生制御情報は、各音声情報単位の再生中に再生される複数の静止画情報の再生開始時点をそれぞれ示す構成となっている場合がある。このような場合には、記憶手段１３は、中断直前に再生されていた１の音声情報単位を指し示す単位指示情報と、中断直前に再生されていた１の静止画情報を特定する中断情報を記憶する。そして、設定手段１４は、記憶手段１３により記憶されたこれらの情報に基づいて、１の音声情報単位の再生再開位置を設定する。
【００５８】
これにより、音声情報が、複数のグループやトラック等の複数の音声情報単位から構成されている場合でも、前回再生が中断された位置ないしその周辺の位置から再生を再開することができる。
【００５９】
（第２実施形態）
本発明の第２実施形態について図１、図２、図３および図５を参照して説明する。
【００６０】
第２実施形態にかかる情報再生装置は、第１実施形態にかかる情報再生装置１０（図１）と同様に、音声再生手段、静止画再生手段、記憶手段および設定手段を備えている。第２実施形態にかかる情報再生装置において、音声再生手段、静止画再生手段および設定手段の基本的構成は、第１実施形態にかかる情報再生装置１０と同じである。そこで、以下、主に記憶手段について説明する。
【００６１】
第２実施形態にかかる情報再生装置における記憶手段は、音声再生手段および静止画再生手段による再生が中断されたときに、中断時点に一番近い再生開始時点が割り当てられた１の静止画情報を特定する情報を中断情報として記憶する。
【００６２】
すなわち、第２実施形態にかかる情報再生装置における中断情報とは、中断時点に一番近い再生開始時点が割り当てられた１の静止画情報を特定する情報である。
【００６３】
かかる構成を有する第２実施形態にかかる情報再生装置の再生動作を図２、図３および図５を参照して説明する。
【００６４】
まず、図２に示すような音声情報Ｍと、静止画情報ＡないしＥと、静止画情報ＡないしＥの再生開始時点Ｔ０ないしＴ４を示す再生制御情報が記録された記録媒体を第２実施形態にかかる情報再生装置で再生するとする。
【００６５】
この場合、図３に示すように、再生時間Ｔ０（ｔ＝０）から音声情報Ｍおよび静止画情報Ａの再生が開始される。そして、再生時間ｔが静止画情報Ｂの再生開始時点Ｔ１に達すると、静止画情報Ａから静止画情報Ｂに切り換えられる。
【００６６】
次に、図３に示すように、再生時間ｔが静止画情報Ｂの再生開始時点Ｔ１（例えば１分）を経過し、かつ静止画情報Ｃの再生開始時点Ｔ２（例えば１分５０秒）に達する前の時点ｔａ（例えば１分３０秒）で、ユーザが電源をオフにする指示を情報再生装置に対し入力したとする。これにより、音声情報および静止画情報Ｂの再生は時点ｔａで中断される。
【００６７】
さらに、このとき、記憶手段は、中断時点ｔａに一番近い再生開始時点が割り当てられた１の静止画情報を特定する情報を中断情報として記憶する。すなわち、図３において、中断時点ｔａに一番近い再生開始時点が割り当てられた１の静止画情報は、再生開始時点Ｔ２が割り当てられた静止画情報Ｃである。したがって、記憶手段は、静止画情報Ｃを特定する情報を中断情報として記憶する。例えば、記憶手段は、再生開始時点Ｔ２を示す数値をメモリ等に記憶する。その後、情報再生装置の電源がオフとなる。なお、情報再生装置の電源がオフになっても記憶手段により記憶された中断情報は消えずに残っている。
【００６８】
次に、図５は、情報再生装置の電源がオフにされた後に、情報再生装置の電源がオンにされ、図２に示す音声情報Ｍおよび静止画情報の再生が再開された状態を示している。すなわち、図５中の斜線の部分は、再生が再開された部分を示している。
【００６９】
図５に示すように、情報再生装置の電源がオフにされた後に、ユーザが情報再生装置の電源がオンにし、音声情報Ｍおよび静止画情報の再生を再開すべき指示を情報再生装置に対し入力すると、設定手段は、記憶手段により記憶された中断情報に基づいて、音声情報Ｍの再生再開位置を設定する。すなわち、この例では、中断情報として記憶手段により記憶された情報は、静止画情報Ｃの再生開始時点Ｔ２を示す数値である。したがって、設定手段は、再生開始時点Ｔ２に対応する再生位置を音声情報Ｍの再生再開位置として設定する。この結果、音声再生手段による音声情報Ｍの再生が時点Ｔ２に対応する位置から再開され、これと同時に静止画再生手段による静止画情報の再生が時点Ｔ２から再開される。
【００７０】
以上より、第２実施形態にかかる情報再生装置によれば、再生が中断されたときに、中断時点に一番近い再生開始時点が割り当てられた１の静止画情報を特定する情報を中断情報として記憶し、再生を再開すべきときには、この記憶保持された中断情報に基づいて音声情報の再生再開位置を設定する構成としたから、再生を中断しても、再生を中断した位置ないしその周辺の位置から再生を再開することができる。これにより、ユーザは、一度音楽の再生を中断しても、何ら操作をすることなしに、または簡単な操作をするだけで、音楽の続きを楽しむことができる。
【００７１】
さらに、中断時点に一番近い再生開始時間が割り当てられた１の静止画情報を特定し、当該１の静止画情報の再生開始時点に対応する再生位置を音声情報の再生再開位置に設定する構成とすれば、音声情報の再生再開位置を静止画情報の切り換えられる位置と一致させることができる。確かに、図３および図５の例によれば、この結果、再生中断位置（図３中のｔａ）と再生再開位置（図５中のＴ２）とはずれることとなる。しかし、再生再開位置を、静止画情報の再生開始時点に対応する位置に一致させることにより、ユーザは、再生再開時に静止画情報の再生を静止画情報の変わり目から楽しむことができる。すなわち、もし、中断時点ｔａから再生が再開されるとすると、再生再開後に直ちに静止画情報Ｂから静止画情報Ｃに切り換えられる。とすれば、ユーザは、落ち着いて静止画を見ることができない。しかし、本実施形態のように、中断時点がｔａであっても、その時点ｔａに一番近い時点Ｔ２から再生を再開させれば、静止画情報Ｃのはじめから再生が再開されることとなるので、ユーザは落ち着いて静止画を見ることができる。また、静止画情報が切り換えられる時点が、音楽における楽曲の変わり目やテーマからさびへの変わり目に設定されている場合には、楽曲の変わり目やテーマからさびへの変わり目から音楽の再生が再開されることとなる。したがって、ユーザは、再生再開後、音楽を心地よく聴くことができる。
【００７２】
次に、第２実施形態にかかる情報再生装置の変形例について説明する。
【００７３】
音声情報が複数の音声情報単位から構成されており、再生制御情報が各音声情報単位の再生中に再生される複数の静止画情報の再生開始時点をそれぞれ示すものである場合には、記憶手段を、音声再生手段および静止画再生手段による再生が中断されたときに、中断情報に加え、中断直前に再生されていた１の音声情報単位を指し示す単位指示情報を記憶する構成とし、設定手段を、音声再生手段および静止画再生手段による再生を再開すべきときに、記憶手段に記憶された単位指示情報と中断情報とに基づいて１の音声情報単位の再生再開位置を設定する構成としてもよい。
【００７４】
これにより、音声情報が、複数のグループやトラック等の複数の音声情報単位から構成されている場合でも、前回再生が中断された位置ないしその周辺の位置から再生を再開することができる。
【００７５】
（第３実施形態）
本発明の第３実施形態について図１ないし図４を参照して説明する。
【００７６】
第３実施形態にかかる情報再生装置は、第１実施形態にかかる情報再生装置１０（図１）と同様に、音声再生手段、静止画再生手段、記憶手段および設定手段を備えている。第３実施形態にかかる情報再生装置において、音声再生手段および静止画再生手段の基本的構成は、第１実施形態にかかる情報再生装置１０と同じである。そこで、以下、主に記憶手段および設定手段について説明する。
【００７７】
第３実施形態にかかる情報再生装置における記憶手段は、音声再生手段および静止画再生手段による再生が中断されたときに、その中断時点を示す情報を中断情報として記憶する。例えば、図２ないし図４に示す例においては、記憶手段は、中断時点ｔａ（例えば１分３０秒）を示す数値を中断情報としてメモリ等に記憶する。
【００７８】
そして、設定手段は、音声再生手段および静止画再生手段による再生を再開すべきときに、記憶手段に記憶された中断情報に基づいて中断直前に再生されていた１の静止画情報を特定し、これに基づいて音声情報の再生再開位置を設定する。
【００７９】
例えば、設定手段は、中断情報に基づいて、中断直前に再生されていた１の静止画情報を特定し、当該１の静止画情報が再生されるべき期間のうちのいずれかの時点に対応する再生位置を音声情報の再生再開位置に設定する。
【００８０】
このような構成を有する第３実施形態にかかる情報再生装置によっても、前回再生が中断された位置ないしその周辺の位置から再生を再開することができる。
【００８１】
次に、第３実施形態にかかる情報再生装置の変形例について説明する。
【００８２】
音声情報が複数の音声情報単位から構成されており、再生制御情報が各音声情報単位の再生中に再生される複数の静止画情報の再生開始時点をそれぞれ示すものである場合には、記憶手段を、音声再生手段および静止画再生手段による再生が中断されたときに、中断情報に加え、中断直前に再生されていた１の音声情報単位を指し示す単位指示情報を記憶する構成とし、設定手段を、音声再生手段および静止画再生手段による再生を再開すべきときに、記憶手段に記憶された単位指示情報に基づいて中断直前に再生されていた１の音声情報単位を特定すると共に、記憶手段に記憶された中断情報に基づいて中断直前に再生されていた１の静止画情報を特定し、これらに基づいて１の音声情報単位の再生再開位置に設定する構成としてもよい。
【００８３】
これにより、音声情報が、複数のグループやトラック等の複数の音声情報単位から構成されている場合でも、前回再生が中断された位置ないしその周辺の位置から再生を再開することができる。
【００８４】
また、第３実施形態にかかる情報再生装置において、設定手段を、記憶手段に記憶された中断情報に基づいて、中断直前に再生されていた１の静止画情報の再生開始時点に対応する音声情報の再生位置を音声情報の再生再開位置に設定する構成としてもよい。
【００８５】
これにより、音声情報の再生を静止画情報の切り換えられる位置から再開させることができる。
【００８６】
（第４実施形態）
本発明の第４実施形態について図２、図３および図５を参照して説明する。
【００８７】
第４実施形態にかかる情報再生装置は、第２実施形態にかかる情報再生装置と同様に、音声再生手段、静止画再生手段、記憶手段および設定手段を備えている。第４実施形態にかかる情報再生装置において、音声再生手段および静止画再生手段の基本的構成は、第２実施形態にかかる情報再生装置と同じである。そこで、以下、主に記憶手段および設定手段について説明する。
【００８８】
第４実施形態にかかる情報再生装置における記憶手段は、音声再生手段および静止画再生手段による再生が中断されたときに、その中断時点を示す情報を中断情報として記憶する。例えば、図２、図３および図５に示す例においては、記憶手段は、中断時点ｔａ（例えば１分３０秒）を示す数値を中断情報としてメモリ等に記憶する。
【００８９】
そして、設定手段は、音声再生手段および静止画再生手段による再生を再開すべきときに、記憶手段に記憶された中断情報に基づいて中断時点に一番近い再生開始時点が割り当てられた１の静止画情報を特定し、これに基づいて音声情報の再生再開位置を特定する。
【００９０】
例えば、設定手段は、中断情報に基づいて、中断時点に一番近い再生開始時点が割り当てられた１の静止画情報を特定し、当該１の静止画情報が再生されるべき期間のうちのいずれかの時点に対応する再生位置を音声情報の再生再開位置に設定する。
【００９１】
このような構成を有する第４実施形態にかかる情報再生装置によっても、前回再生が中断された位置ないしその周辺の位置から再生を再開することができる。
【００９２】
次に、第４実施形態にかかる情報再生装置の変形例について説明する。
【００９３】
音声情報が複数の音声情報単位から構成されており、再生制御情報が各音声情報単位の再生中に再生される複数の静止画情報の再生開始時点をそれぞれ示すものである場合には、記憶手段を、音声再生手段および静止画再生手段による再生が中断されたときに、中断情報に加え、中断直前に再生されていた１の音声情報単位を指し示す単位指示情報を記憶する構成とし、設定手段を、音声再生手段および静止画再生手段による再生を再開すべきときに、記憶手段に記憶された単位指示情報に基づいて中断直前に再生されていた１の音声情報単位を特定すると共に、記憶手段に記憶された中断情報に基づいて中断時点に一番近い再生開始時点が割り当てられた１の静止画情報を特定し、これらに基づいて１の音声情報単位の再生再開位置を設定する構成としてもよい。
【００９４】
これにより、音声情報が、複数のグループやトラック等の複数の音声情報単位から構成されている場合でも、前回再生が中断された位置ないしその周辺の位置から再生を再開することができる。
【００９５】
また、第４実施形態にかかる情報再生装置において、設定手段を、記憶手段に記憶された中断情報に基づいて中断時点に一番近い再生開始時点が割り当てられた１の静止画情報の再生開始時点を特定し、当該１の静止画情報の再生開始時点に対応する１の音声情報単位の再生位置を１の音声情報単位の再生再開位置に設定する構成としてもよい。
【００９６】
これにより、音声情報の再生を静止画情報の切り換えられる位置から再開させることができる。
【００９７】
なお、以上のような実施形態は、専用の装置としてハードウェアと一体的に構成する形態で実現してもよいし、コンピュータにプログラムを読み込ませることによって実現してもよい。
【００９８】
【実施例】
以下、本発明の実施例を図面に基づいて説明する。以下の実施例は、本発明の情報再生装置をＤＶＤオーディオプレーヤに適用した例である。
【００９９】
（第１実施例）
本発明の第１実施例について図６ないし図１０を参照して説明する。
【０１００】
まず、第１実施例にかかるＤＶＤオーディオプレーヤの構成について説明する。図６は第１実施例にかかるＤＶＤオーディオプレーヤの構成を示している。図６に示すように、第１実施例にかかるＤＶＤオーディオプレーヤ３０は、ＤＶＤ１に記録された音声情報および静止画情報を再生する情報再生装置である。音声情報は例えば音楽を符号化した情報であり、静止画情報は静止画を符号化した情報である。ＤＶＤオーディオプレーヤ３０は、音声情報を再生すると同時に静止画情報を再生し、いわゆるスライドショー再生を実現する機能を備えている。
【０１０１】
ＤＶＤオーディオプレーヤ３０は、ディスク読取部３１、信号処理部３２、音声デコーダ３３、静止画デコーダ３４、操作部３５、システムコントローラ３６および記憶部３７を備えている。
【０１０２】
ディスク読取部３１は、ＤＶＤ１の記録面に光ビームを照射してその反射光を受け取る光ピックアップ、ＤＶＤ１を回転させるスピンドルモータ、および光ビームの照射位置およびスピンドルモータの回転等を制御するサーボ制御機構等（いずれも図示せず）を備えている。ディスク読取部３１は、ＤＶＤ１に記録された音楽情報および静止画情報等含む信号を読み取り、読み取った信号を信号処理部３２に出力する。
【０１０３】
信号処理部３２は、復調回路等を備えている。信号処理部３２は、ディスク読取部３１から出力された信号を復調し、音声情報、静止画情報およびこれらの再生を制御する制御情報等を抽出する。そして、音声情報および静止画情報は音声デコーダ３３および静止画デコーダにそれぞれ供給される。
【０１０４】
音声デコーダ３３は、音声情報をデコードする回路である。音声デコーダ３３にデコードされた音声信号は、例えばデジタル−アナログコンバータなどを介してスピーカ等に供給される。
【０１０５】
静止画デコーダ３４は、静止画情報をデコードする回路である。静止画デコーダ３４によりデコードされた静止画信号は、液晶ディスプレイまたはプラズマディスプレイ等のモニターに供給される。
【０１０６】
操作部３５は、スイッチパネル、リモコン等を備えている。操作部３５は、ユーザがＤＶＤオーディオプレーヤ３０に対し、電源のオン・オフ、再生開始、再生停止等の指示を入力するためのユーザインターフェースである。
【０１０７】
システムコントローラ３６は、ＣＰＵ（セントラルプロセッシングユニット）、ＲＯＭ（リードオンリメモリ）、ＲＡＭ（ランダムアクセスメモリ）等の演算回路および記憶回路を備えている。システムコントローラ３６は、ＤＶＤオーディオプレーヤ３０の全体的な制御、再生制御、再生中断処理、再生再開処理等を行う。
【０１０８】
記憶部３７は、書換可能な不揮発性のメモリによって構成されている。記憶部３７は、システムコントローラ３６の制御および処理に必要な情報であって、ＤＶＤオーディオプレーヤ３０の電源がオフになっても記憶保持しておく必要のある情報を記憶する。
【０１０９】
次に、音声情報、静止画情報、およびこれらの情報の再生を制御する制御情報について説明する。
【０１１０】
ＤＶＤ１には、ＤＶＤオーディオ規格に基づいて、音声情報、静止画情報およびこれらの情報の再生を制御する制御情報が記録されている。音声情報は、主としてグループ、オーディオタイトル、トラックからなる階層構造を有している。グループはいくつかのオーディオタイトルから構成されている。オーディオタイトルは、プログラムチェインによって構成され、いくつかのプログラムを含んでいる。トラックはプログラムチェインで定義されたプログラムに対応する。
【０１１１】
ユーザは、ＤＶＤ１を再生する際に、グループとトラックを指定することができる。ユーザが１のグループを指定し、さらにそのグループに属する１のトラックを指定すると、プログラムチェイン情報により、当該トラック（プログラム）に関連づけられた音声情報（オーディオオブジェクト（ＡＯＢ））と静止画情報（オーディオ静止画オブジェクト（ＡＳＶＯＢ））が再生される。
【０１１２】
ＤＶＤ規格において、音声情報の再生と同時に静止画情報を再生する方法は様々あり、いかなる再生方法を選択するかは、音声情報および静止画情報を提供する製作者側が決める事項である。製作者は、静止画情報の再生方法を選択し、その選択した再生方法を制御情報としてＤＶＤ１に記録しておく。これにより、ＤＶＤオーディオプレーヤ３０は、その制御情報を読み取り、その制御情報に記述された再生方法に従って静止画情報を再生する。
【０１１３】
静止画情報の再生方法の１つにスライドショー再生がある。スライドショー再生とは、複数の静止画を既定の時間間隔で１枚ずつ切り換えながら再生（表示）する方法である。本実施例において、ＤＶＤ１に記録された情報の製作者は、静止画情報の再生方法としてスライドショー再生を選択しており、その旨を示す制御情報がＤＶＤ１に記録されている。
【０１１４】
静止画のスライドショー再生を実現するために、ＤＶＤ１には、複数の静止画にそれぞれ対応する複数の静止画情報と、各静止画情報の再生開始時間を記述した表示リスト情報（再生制御情報）が記録されている。表示リスト情報は、トラックごとに作成し、記録することができる。
【０１１５】
図７は表示リスト情報の一例を示している。本実施例では、説明のため便宜上、単純な具体例として、グループ＃１のトラック＃１に、図７に示すような表示リスト情報ＤＬが作成され、ＤＶＤ１に記録されているものと仮定する。
【０１１６】
図７に示すように、表示リスト情報ＤＬには、トラック＃１の再生中に再生（表示）される静止画情報に関する４つ表示リストが、再生する順序で記述されている。各表示リストは、表示リスト番号（図７中の第１列）、静止画情報番号（第２列）および再生開始時間（第３列）から構成されている。
【０１１７】
表示リスト番号は、各表示リストの再生順序（各表示リストに指定された静止画情報の再生順序）を示すと共に、個々の表示リストを特定する役割を果たす。静止画情報番号は、トラック＃１の再生中に再生される静止画情報を指し示す番号である。再生開始時間は、トラック＃１の再生中に再生される各静止画情報の再生開始時間である。なお、音声情報の再生中に再生すべき複数の静止画情報は、すべて異なっていてもよいし、重複していてもよい。図７に示す例では、１番目に再生すべき静止画情報と４番目に再生すべき静止画情報とが重複している。
【０１１８】
図８はトラック＃１に関連づけられた音声情報と、トラック＃１に関連づけられた静止画情報＃１ないし＃４との再生時における時間関係を示している。トラック＃１を再生すると、トラック＃１に関連づけられた音声情報と静止画情報が図８に示すように再生される。
【０１１９】
すなわち、図８中の横軸は再生時間ｔを示す。そして、再生時間ｔがＴ０の時（図８においてＴ０は０である）に音声情報の再生が開始され、再生時間ｔがＴ４の時に音声情報の再生が終了する。また、再生時間ｔがＴ０の時に音声情報の再生が開始されると同時に静止画情報＃１の再生が開始される。そして、再生時間ｔがＴ１（１分３０秒）の時には、再生される静止画情報が静止画情報＃１から静止画情報＃２に切り換えられる。さらに、再生時間ｔがＴ２（３分）の時には、再生される静止画情報が静止画情報＃２から静止画情報＃３に切り換えられる。同様にして、再生時間ｔがＴ３（４分）の時には、再生される静止画情報が静止画情報＃３から静止画情報＃１（図７中の表示リスト番号＃４に対応する静止画情報＃１）に切り換えられる。そして、再生時間ｔがＴ４に達すると、音声情報の再生の終了と同時に静止画情報＃１の再生が終了する。
【０１２０】
次に、ＤＶＤオーディオプレーヤ３０における再生中断処理について図９を参照して説明する。
【０１２１】
図９は再生中断処理を示している。再生中断処理は、音声情報および静止画情報の再生中において、再生が中断されたときに実行される処理である。再生が中断する場合には様々考えられるが、本実施例では、ユーザがＤＶＤオーディオプレーヤ３０の電源をオフにする指示を入力した場合を例に挙げる。なお、再生中断処理は、システムコントローラ３６の制御の下に実行される。
【０１２２】
図９に示すように、システムコントローラ３６は、音声情報および静止画情報の再生を開始（ステップＳ１１）した後、再生を中断すべき指示が入力されたか否かを判定する（ステップＳ１２）。
【０１２３】
ユーザが操作部３５を介してＤＶＤオーディオプレーヤ３０の電源をオフにする旨の指示を入力したときには、システムコントローラ３６はこれを受け取り（ステップＳ１２：ＹＥＳ）、音声情報および静止画情報の再生を中断する（ステップＳ１３）。
【０１２４】
続いて、システムコントローラ３６は、中断直前に再生されていたグループの番号およびトラックの番号（単位指示情報）と、中断直前に再生されていた１の静止画情報に対応する表示リストの番号（中断情報）を、記憶部３７に記憶する（ステップＳ１４）。
【０１２５】
そして、システムコントローラ３６は、ＤＶＤオーディオプレーヤ３０の電源をオフにする（ステップＳ１５）。なお、記憶部３７は不揮発性メモリによって構成されているので、ＤＶＤオーディオプレーヤ３０の電源がオフとなっても、記憶部３７に記憶されたグループ番号、トラック番号および表示リスト番号は消えずに残っている。
【０１２６】
次に、ＤＶＤオーディオプレーヤ３０における再生再開処理について図１０を参照して説明する。
【０１２７】
図１０は再生再開処理を示している。再生再開処理は、音声情報および静止画情報の再生が中断された後に、これらの再生を再開するときに実行される処理である。再生が再開される場合には様々考えられるが、本実施例では、ユーザがＤＶＤオーディオプレーヤ３０の電源をオフにした後、電源をオンにして、再生を再開すべき旨の指示をＤＶＤオーディオプレーヤ３０に対し入力した場合を例に挙げる。なお、再生再開処理は、システムコントローラ３６の制御の下に実行される。
【０１２８】
図１０に示すように、ＤＶＤオーディオプレーヤ３０の電源がオンにされると、システムコントローラ３６は、再生を再開すべき旨の指示が入力されたか否かを判定する（ステップＳ２１）。
【０１２９】
ユーザが操作部３５を介して再生を再開すべき旨の指示を入力すると、システムコントローラ３６はこれを受け取り（ステップＳ２１：ＹＥＳ）、次に、記憶部３７に記憶されているグループ番号、トラック番号および表示リスト番号を読み出す（ステップＳ２２）。
【０１３０】
続いて、システムコントローラ３６は、記憶部３７から読み出したグループ番号およびトラック番号によって特定されるトラック（プログラム）に関連づけられた表示リスト情報をＤＶＤ１から読み取る（ステップＳ２３）。
【０１３１】
続いて、システムコントローラ３６は、記憶部３７から読み出したグループ番号、トラック番号および表示リスト番号並びにＤＶＤ１から読み取った表示リスト情報に基づいて、音楽情報および静止画情報の再生再開位置を設定する（ステップＳ２４）。具体的には、まず、記憶部３７から読み出したグループ番号およびトラック番号により再生を再開すべきトラックを特定する。次に、記憶部３７から読み出した表示リスト番号とＤＶＤ１から読み取った表示リスト情報により、中断直前に再生されていた１の静止画情報の再生開始時間を特定する。そして、当該１の静止画情報の再生開始時間に対応する再生位置をトラック（トラックに関連づけられた音声情報および静止画情報）の再生開始位置に設定する。
【０１３２】
そして、システムコントローラ３６は、設定された再生開始位置から、音声情報および静止画情報の再生を再開する（ステップＳ２５）。
【０１３３】
次に、上述した再生中断処理および再生再開処理による具体的な動作および結果を図７および図８を参照して説明する。
【０１３４】
図８に示すように、ＤＶＤオーディオプレーヤ３０により、トラック＃１の再生を開始したとする。すると、まず、再生時間ｔがＴ０（０分０秒）の時に、トラック＃１に関連づけられた音楽情報の再生が開始され、これと同時に、トラック＃１に関連づけられた静止画情報＃１が再生される。すなわち、システムコントローラ３６によってトラック＃１に関連づけられた表示リスト情報ＤＬが参照され、表示リスト＃１に指定された静止画情報＃１が再生開始時間Ｔ０において再生される。
【０１３５】
次に、再生時間ｔがＴ１（１分３０秒）に達すると、再生すべき静止画情報が、静止画情報＃１から静止画情報＃２に切り換えられる。すなわち、システムコントローラ３６によって表示リスト情報ＤＬが参照され、表示リスト＃２に指定された静止画情報＃２が再生開始時間Ｔ１において再生される。
【０１３６】
その後、再生時間がＴ２（３分０秒）に達する前の時点ｔａ（例えば２分３０秒）で、ユーザがＤＶＤオーディオプレーヤ３０の電源をオフにする旨の指示を入力したとする。これにより、音声情報および静止画情報の再生が中断される。続いて、中断直前に再生されていたグループの番号「１」およびトラックの番号「１」と、中断直前に再生されていた１の静止画情報に対応する表示リストの番号「２」が記憶部３７に記憶される。その後、ＤＶＤオーディオプレーヤ３０の電源がオフとなる。
【０１３７】
しばらく時間が経過した後、ユーザがＤＶＤオーディオプレーヤ３０の電源をオンにし、再生を再開すべき旨の指示を入力したとする。すると、まず、記憶部３７に記憶されたグループ番号「１」、トラック番号「１」および表示リスト番号「２」が読み出され、グループ番号「１」とトラック番号「１」に基づいて表示リスト情報ＤＬ（図７）がＤＶＤ１から読み取られる。
【０１３８】
続いて、図７に示すように、表示リスト情報ＤＬ中の表示リスト＃２が参照され、当該表示リスト＃２に記述された静止画情報＃２の再生開始時間Ｔ１（１分３０秒）が認識される。そして、グループ番号「１」およびトラック番号「１」により、再生を再開すべきトラック＃１が特定され、再生開始時間Ｔ１に対応する再生位置が再生再開位置に設定される。
【０１３９】
この結果、音声情報および静止画情報の再生は、図８中の時点Ｔ１から再開される。
【０１４０】
以上より、第１実施形態にかかる情報再生装置１０によれば、再生が中断されたときに、中断直前に再生されていたグループの番号およびトラックの番号と、中断直前に再生されていた１の静止画情報に対応する表示リスト番号を記憶すると共に、再生を再開すべきときには、この記憶保持されたグループ番号、トラック番号および表示リスト番号に基づいて再生を再開すべきトラックおよび再生再開位置を設定する構成としたから、再生を中断しても、再生を中断した位置ないしその周辺の位置から再生を再開することができる。これにより、ユーザは、一度音楽の再生を中断しても、何ら操作をすることなしに、または簡単な操作をするだけで、音楽の続きを楽しむことができる。
【０１４１】
さらに、中断直前に再生されていた１の静止画情報の再生開始時間に対応する再生位置を、トラックの再生再開位置に設定する構成としたから、トラックの再生再開位置を静止画情報が切り換えられる位置に一致させることができる。これにより、再生再開時には常に１の静止画情報がその再生開始時点から再生されることになる。よって、ユーザは、静止画情報をゆっくりと楽しむことができる。
【０１４２】
また、静止画情報が切り換えられる時点が、音楽における楽曲の変わり目やテーマからさびへの変わり目に設定されている場合には、楽曲の変わり目やテーマからさびへの変わり目から音楽の再生が再開されることとなる。したがって、ユーザは、再生再開後、音楽を心地よく聴くことができる。
【０１４３】
また、再生中断時にグループ番号、トラック番号および表示リスト番号を記憶する構成としたから、記憶すべき情報量が少なく、記憶処理もきわめて単純かつ容易となる。さらに、再生再開時の読出処理もきわめて単純かつ容易となる。よって、再生中断処理および再生再開処理を迅速に実行することができる。
【０１４４】
（第２実施例）
本発明の第２実施例について図１１を参照して説明する。なお、以下に述べる第２実施例において、第１実施例と同一の構成要素には同一の符号を付し、その説明を省略する。
【０１４５】
第２実施例にかかるＤＶＤオーディオプレーヤは、再生中断処理を除き、第１実施例にかかるＤＶＤオーディオプレーヤ３０と同じ構成を有する。そこで、主として再生中断処理について説明する。
【０１４６】
図１１は第２実施例にかかるＤＶＤオーディオプレーヤにおける再生中断処理を示している。
【０１４７】
図１１に示すように、システムコントローラ３６は、音声情報および静止画情報の再生を開始（ステップＳ３１）した後、再生を中断すべき指示が入力されたか否かを判定する（ステップＳ３２）。
【０１４８】
ユーザが操作部３５を介してＤＶＤオーディオプレーヤの電源をオフにする旨の指示を入力したときには、システムコントローラ３６はこれを受け取り（ステップＳ３２：ＹＥＳ）、音声情報および静止画情報の再生を中断する（ステップＳ３３）。
【０１４９】
続いて、システムコントローラ３６は、中断時点に一番近い再生開始時間が割り当てられた１の静止画情報を特定する（ステップＳ３４）。例えば、中断時点を示す数値Ｎ１から中断直前に再生されていた１の静止画情報の再生開始時間を示す数値Ｎ２を差し引いて得られた数値Ｎ３と、中断直前に再生されていた１の静止画情報の次に再生すべき１の静止画情報の再生開始時間を示す数値Ｎ４から中断時点を示す数値Ｎ１を差し引いて得られた数値Ｎ５とを比較し、Ｎ３がＮ５以下のときには、中断直前に再生されていた１の静止画情報を、中断時点に一番近い再生開始時間が割り当てられた１の静止画情報として特定する。一方、Ｎ３がＮ５よりも大きいときには、中断直前に再生されていた１の静止画情報の次に再生すべき１の静止画情報を、中断時点に一番近い再生開始時間が割り当てられた１の静止画情報として特定する。
【０１５０】
続いて、システムコントローラ３６は、中断直前に再生されていたグループの番号およびトラックの番号（単位指示情報）と、中断時点に一番近い再生開始時間が割り当てられた１の静止画情報に対応する表示リストの番号（中断情報）を、記憶部３７に記憶する（ステップＳ３５）。
【０１５１】
そして、システムコントローラ３６は、ＤＶＤオーディオプレーヤの電源をオフにする（ステップＳ３６）。
【０１５２】
次に、第２実施例にかかるＤＶＤオーディオプレーヤにおける再生中断処理および再生再開処理による具体的な動作および結果を図７および図８を参照して説明する。
【０１５３】
図８に示すように、ＤＶＤオーディオプレーヤ３０により、トラック＃１の再生を開始したとする。すると、まず、再生時間ｔがＴ０（０分０秒）の時に、トラック＃１に関連づけられた音楽情報の再生が開始され、これと同時に、トラック＃１に関連づけられた静止画情報＃１が再生される。
【０１５４】
次に、再生時間ｔがＴ１（１分３０秒）に達すると、再生すべき静止画情報が、静止画情報＃１から静止画情報＃２に切り換えられる。
【０１５５】
その後、再生時間がＴ２（３分０秒）に達する前の時点ｔａ（例えば２分３０秒）で、ユーザがＤＶＤオーディオプレーヤの電源をオフにする旨の指示を入力したとする。これにより、音声情報および静止画情報の再生が中断される。
【０１５６】
続いて、中断時点ｔａに一番近い再生開始時間が割り当てられた静止画情報が特定される。例えば、中断時点が２分３０秒であるとすれば、これに一番近い再生開始時間はＴ２（３分０秒）である。したがって、表示リスト＃３により指定されている静止画情報＃３が、中断時点ｔａに一番近い再生開始時間が割り当てられた静止画情報として特定される。
【０１５７】
続いて、中断直前に再生されていたグループの番号「１」およびトラックの番号「１」と、中断時点ｔａに一番近い再生開始時間が割り当てられた静止画情報に対応する表示リストの番号「３」が記憶部３７に記憶される。その後、ＤＶＤオーディオプレーヤの電源がオフとなる。
【０１５８】
しばらく時間が経過した後、ユーザがＤＶＤオーディオプレーヤの電源をオンにし、再生を再開すべき旨の指示を入力したとする。すると、まず、記憶部３７に記憶されたグループ番号「１」、トラック番号「１」および表示リスト番号「３」が読み出され、グループ番号「１」とトラック番号「１」に基づいて表示リスト情報ＤＬ（図７）が読み取られる。
【０１５９】
続いて、図７に示すように、表示リスト情報ＤＬ中の表示リスト＃３が参照され、当該表示リスト＃３に記述された静止画情報＃３の再生開始時間Ｔ２（３分０秒）が認識される。そして、グループ番号「１」およびトラック番号「１」により、再生を再開すべきトラック＃１が特定され、再生開始時間Ｔ２に対応する再生位置が再生再開位置に設定される。
【０１６０】
この結果、音声情報および静止画情報の再生は、図８中の時点Ｔ２から再開される。
【０１６１】
以上より、第２実施例にかかるＤＶＤオーディオプレーヤによれば、再生が中断されたときに、中断時点に一番近い再生開始時間が割り当てられた１の静止画情報を特定し、当該１の静止画情報に対応する表示リスト番号を、中断直前に再生されていたグループの番号およびトラックの番号と共に記憶し、再生を再開すべきときには、この記憶保持されたグループ番号、トラック番号および表示リスト番号に基づいてトラックの再生再開位置を設定する構成としたから、再生を中断しても、再生を中断した位置ないしその周辺の位置から再生を再開することができる。これにより、ユーザは、一度音楽の再生を中断しても、何ら操作をすることなしに、または簡単な操作をするだけで、音楽の続きを楽しむことができる。
【０１６２】
さらに、中断時点に一番近い再生開始時間が割り当てられた１の静止画情報を特定し、当該１の静止画情報の再生開始時間に対応する再生位置をトラックの再生再開位置に設定する構成としたから、トラックの再生再開位置を静止画情報の切り換えられる位置と一致させることができる。これにより、ユーザは、再生再開時に静止画情報の再生を静止画情報の変わり目から落ち着いて楽しむことができる。
【０１６３】
また、静止画情報が切り換えられる時点が、音楽における楽曲の変わり目やテーマからさびへの変わり目に設定されている場合には、楽曲の変わり目やテーマからさびへの変わり目から音楽の再生が再開されることとなる。したがって、ユーザは、再生再開後、音楽を心地よく聴くことができる。
【０１６４】
また、再生中断時にグループ番号、トラック番号および表示リスト番号を記憶する構成としたから、再生中断処理および再生再開処理が単純かつ容易となり、処理の迅速化を図ることができる。
【０１６５】
（第３実施例）
本発明の第３実施例について図１２ないし図１４を参照して説明する。なお、以下に述べる第３実施例において、第１実施例または第２実施例と同一の構成要素には同一の符号を付し、その説明を省略する。
【０１６６】
第３実施例にかかるＤＶＤオーディオプレーヤは、再生中断処理および再生再開処理を除き、第１実施例にかかるＤＶＤオーディオプレーヤ３０と同じ構成を有する。そこで、主として再生中断処理および再生再開処理について説明する。
【０１６７】
まず、第３実施例にかかるＤＶＤオーディオプレーヤにおける再生中断処理について図１２を参照して説明する。
【０１６８】
図１２は第３実施例にかかるＤＶＤオーディオプレーヤにおける再生中断処理を示している。図１２に示すように、システムコントローラ３６は、音声情報および静止画情報の再生を開始（ステップＳ４１）した後、再生を中断すべき指示が入力されたか否かを判定する（ステップＳ４２）。
【０１６９】
ユーザが操作部３５を介してＤＶＤオーディオプレーヤの電源をオフにする旨の指示を入力したときには、システムコントローラ３６はこれを受け取り（ステップＳ４２：ＹＥＳ）、音声情報および静止画情報の再生を中断する（ステップＳ４３）。
【０１７０】
続いて、システムコントローラ３６は、中断直前に再生されていたグループの番号およびトラックの番号と、中断時点を示す数値（中断情報）を記憶部３７に記憶する（ステップＳ４４）。例えば、図８に示すように、グループ＃１に属するトラック＃１の再生が時点ｔａ（２分３０秒）で中断された場合には、グループ番号「１」、トラック番号「１」、および２分３０秒を示す数値を記憶部３７に記憶する。
【０１７１】
そして、システムコントローラ３６は、ＤＶＤオーディオプレーヤの電源をオフにする（ステップＳ４５）。
【０１７２】
次に、第３実施例にかかるＤＶＤオーディオプレーヤにおける再生再開処理について図１３および図１４を参照して説明する。
【０１７３】
図１３は再生再開処理を示している。図１３に示すように、再生を再開すべくＤＶＤオーディオプレーヤの電源がオンにされると、システムコントローラ３６は、再生を再開すべき旨の指示が入力されたか否かを判定する（ステップＳ５１）。
【０１７４】
ユーザが操作部３５を介して再生を再開すべき旨の指示を入力すると、システムコントローラ３６はこれを受け取り（ステップＳ５１：ＹＥＳ）、次に、記憶部３７に記憶されているグループ番号、トラック番号および中断時点を示す数値を読み出す（ステップＳ５２）。
【０１７５】
そして、システムコントローラ３６は再生再開位置設定処理を実行する（ステップＳ５３）
図１４は図１３中のステップＳ５３で実行される再生再開位置設定処理を示している。再生再開位置設定処理は、記憶部３７に記憶されていたグループ番号、トラック番号および中断時点を示す数値に基づいて、トラックの再生再開位置を設定する処理である。
【０１７６】
図１４に示すように、システムコントローラ３６は、まず、記憶部３７から読み出したグループ番号およびトラック番号によって特定されるトラック（プログラム）に関連づけられた表示リスト情報をＤＶＤ１から読み取る（ステップＳ６１）。
【０１７７】
次に、システムコントローラ３６は、この表示リスト情報を参照して、表示リスト番号の最大値を認識し、この表示リスト番号の最大値を変数ｎに代入する（ステップＳ６２）。
【０１７８】
次に、表示リスト情報を参照し、番号ｎの表示リストに記述された静止画情報の再生開始時間を変数ｍに代入する（ステップＳ６３）。
【０１７９】
次に、中断時点を示す数値が変数ｍ以上か否かを判定する（ステップＳ６４）。
【０１８０】
中断時点を示す数値が変数ｍ以上でないときには（ステップＳ６４：ＮＯ）、変数ｎを１減らし（ステップＳ６５）、次に、変数ｎがステップＳ６１で読み取った表示リスト情報中の表示リスト番号の最小値と等しいか否かを判定する（ステップＳ６６）。
【０１８１】
変数ｎが表示リスト番号の最小値と等しくないときには（ステップＳ６６：ＮＯ）、処理をステップＳ６３に戻す。
【０１８２】
一方、ステップＳ６４で中断時点を示す数値が変数ｍ以上であるとき（ステップＳ６４：ＹＥＳ）、または、ステップＳ６６で変数ｎが表示リスト番号の最小値と等しいときには（ステップＳ６６：ＹＥＳ）、番号ｎの表示リストの指定する静止画情報の再生開始時間に対応する再生位置を音声情報及び静止画情報の再生再開位置に設定する（ステップＳ６７）。
【０１８３】
その後、処理は図１３中のステップＳ５４に移行し、ステップＳ５４で、システムコントローラ３６は、再生再開位置設定処理によって設定された再生開始位置から音声情報および静止画情報の再生を再開する。この結果、図８に示す例によれば、時点Ｔ１からトラックの再生が再開される。
【０１８４】
以上より、第３実施例にかかるＤＶＤオーディオプレーヤによっても、第１実施例にかかるＤＶＤオーディオプレーヤ３０とほぼ同様に、再生を中断した位置ないしその周辺の位置から再生を再開することができる。また、再生開始時には、常に１の静止画情報をその再生開始時点から再生することができる。よって、静止画情報の再生開始時点が、音楽における楽曲の変わり目やテーマからさびへの変わり目に設定されている場合には、楽曲の変わり目やテーマからさびへの変わり目から音楽の再生を再開することができる。したがって、ユーザは再生が再開された直後から、音楽を心地よく聴くことができる。
【０１８５】
（第４実施例）
本発明の第４実施例について図１５を参照して説明する。なお、以下に述べる第４実施例において、第１実施例、第２実施例または第３実施例と同一の構成要素には同一の符号を付し、その説明を省略する。
【０１８６】
第４実施例にかかるＤＶＤオーディオプレーヤは、再生再開処理における再生開始位置設定処理を除き、第３実施例にかかるＤＶＤオーディオプレーヤと同じ構成を有する。そこで、主として再生開始位置設定処理について説明する。
【０１８７】
第３実施例のところで説明したように、再生開始位置設定処理は、図１３に示す再生再開処理中のステップＳ５３で実行される処理であり、記憶部３７に記憶されていたグループ番号、トラック番号および中断時点を示す数値に基づいて、トラックの再生再開位置を設定する処理である。第４実施例における再生開始位置設定処理では、中断時点に一番近い再生開始時間が割り当てられた１の静止画情報を特定し、当該１の静止画情報の再生開始時間に対応する再生位置を音声情報および静止画情報の再生再開位置として設定する点に特徴がある。
【０１８８】
図１５は第４実施例にかかる再生開始位置設定処理を示している。図１５に示すように、システムコントローラ３６は、まず、記憶部３７から読み出したグループ番号およびトラック番号によって特定されるトラック（プログラム）に関連づけられた表示リスト情報をＤＶＤ１から読み取る（ステップＳ７１）。
【０１８９】
次に、システムコントローラ３６は、この表示リスト情報を参照して、表示リスト番号の最大値を認識し、この表示リスト番号の最大値を変数ｎに代入する（ステップＳ７２）。
【０１９０】
次に、表示リスト情報を参照し、番号ｎの表示リストに記述された静止画情報の再生開始時間を変数ｍに代入する（ステップＳ７３）。
【０１９１】
次に、中断時点を示す数値が変数ｍ以上か否かを判定する（ステップＳ７４）。
【０１９２】
中断時点を示す数値が変数ｍ以上でないときには（ステップＳ７４：ＮＯ）、変数ｎを１減らし（ステップＳ７５）、次に、変数ｎがステップＳ７１で読み取った表示リスト情報中の表示リスト番号の最小値と等しいか否かを判定する（ステップＳ７６）。
【０１９３】
変数ｎが表示リスト番号の最小値と等しくないときには（ステップＳ７６：ＮＯ）、処理をステップＳ７３に戻す。
【０１９４】
一方、ステップＳ７４で中断時点を示す数値が変数ｍ以上であるときには（ステップＳ７４：ＹＥＳ）、次に、ステップＳ７１で読み取った表示リスト情報を参照し、中断時点を示す数値と、番号ｎの表示リストに記述された再生開始時間（現在変数ｍに代入されている再生開始時間）とを比較し、次に、中断時点を示す数値と、番号ｎ＋１の表示リストに記述された再生開始時間とを比較する。そして、これらの比較結果より、中断時点を示す数値が番号ｎの表示リストに記述された再生開始時間に一番近いか否かを判定する（ステップＳ７７）。
【０１９５】
中断時点を示す数値が番号ｎの表示リストに記述された再生開始時間に一番近いときには（ステップＳ７７：ＹＥＳ）、番号ｎの表示リストに記述された再生開始時間に対応する再生位置を音声情報及び静止画情報の再生再開位置に設定する（ステップＳ７８）。
【０１９６】
一方、中断時点を示す数値が番号ｎ＋１の表示リストに記述された再生開始時間に一番近いときには（ステップＳ７７：ＮＯ）、番号ｎ＋１の表示リストに記述された再生開始時間に対応する再生位置を音声情報および静止画情報の再生再開位置に設定する（ステップＳ７９）。
【０１９７】
なお、ステップＳ７７で、変数ｎが表示リスト情報中の表示リスト番号の最大値であるときには、番号ｎ＋１の表示リストは当該表示リスト情報中には存在しないので、この場合には、処理をステップＳ７８に移行させ、番号ｎの表示リストに記述された再生開始時間に対応する再生位置を音声情報及び静止画情報の再生再開位置に設定する。
【０１９８】
一方、ステップＳ７６で変数ｎが表示リスト番号の最小値と等しいときには（ステップＳ７６：ＹＥＳ）、番号ｎの表示リストの指定する静止画情報の再生開始時間に対応する再生位置を音声情報及び静止画情報の再生再開位置に設定する（ステップＳ７８）。
【０１９９】
この結果、図８に示す例によれば、中断時点ｔａ（２分３０秒）に一番近い静止画情報の再生開始時間はＴ２（３分０秒）なので、上記処理により、再生開始時間Ｔ２に対応する再生位置がトラックの再生再開位置に設定される。よって、トラックの再生は時点Ｔ２から再開される。
【０２００】
以上より、第４実施例にかかるＤＶＤオーディオプレーヤによれば、第２実施形態にかかるＤＶＤオーディオプレーヤと同様に、再生を中断した位置ないしその周辺の位置から再生を再開することができる。さらに、中断時点に一番近い再生開始時間が割り当てられた１の静止画情報を特定し、当該１の静止画情報の再生開始時間に対応する再生位置をトラックの再生再開位置に設定する構成としたから、トラックの再生再開位置を静止画情報の切り換えられる位置と一致させることができる。また、静止画情報が切り換えられる時点が、音楽における楽曲の変わり目やテーマからさびへの変わり目に設定されている場合には、楽曲の変わり目やテーマからさびへの変わり目から音楽の再生を再開させることができる。したがって、ユーザは、再生再開後、音楽を心地よく聴くことができる。
【０２０１】
なお、上述した実施例では、グループ番号とトラック番号を記憶することによって、中断直前に再生されていたトラックを特定する構成としたが、本発明はこれに限らず、グループ番号と、そのグループの先頭から中断時点に対応する再生位置までのトータル時間を記憶することによって、中断直前に再生されていたトラックを特定する構成としてもよい。
【０２０２】
また、上述した実施例では、本発明による情報再生装置としてＤＶＤオーディオプレーヤを例に挙げたが、本発明はこれに限らず、ＤＶＤビデオプレーヤでもよい。さらに、画像再生能力を有しないＤＶＤオーディオプレーヤ（例えば画像デコーダを備えていないオーディオ専用のＤＶＤプレーヤ）であっても、ＤＶＤ１に記録された再生リスト情報等の制御情報を読み取って認識できれば、上述した再生中断処理および再生再開処理を実現することができる。
【０２０３】
さらに、本発明は、請求の範囲および明細書全体から読み取るこのできる発明の要旨または思想に反しない範囲で適宜変更可能であり、そのような変更を伴う情報再生装置および情報再生方法並びにこれらの機能を実現するコンピュータプログラムもまた本発明の技術思想に含まれる。
【図面の簡単な説明】
【図１】本発明の第１実施形態にかかる情報再生装置を示すブロック図である。
【図２】音声情報と、音声情報の再生中に再生される静止画情報との再生時における時間関係を示す説明図である。
【図３】図２に示す音声情報と静止画情報の再生が開始された後の状態を示す説明図である。
【図４】図２に示す音声情報と静止画情報の再生が再開された後の状態を示す説明図である。
【図５】図２に示す音声情報と静止画情報の再生が再開された後の他の状態を示す説明図である。
【図６】第１実施例にかかるＤＶＤオーディオプレーヤの構成を示すブロック図である。
【図７】表示リスト情報の一例を示す説明図である。
【図８】トラック＃１に関連づけられた音声情報と、トラック＃１に関連づけられた静止画情報との再生時における時間関係を示す説明図である。
【図９】第１実施例における再生中断処理を示すフローチャートである。
【図１０】第１実施例における再生再開処理を示すフローチャートである。
【図１１】第２実施例における再生中断処理を示すフローチャートである。
【図１２】第３実施例における再生中断処理を示すフローチャートである。
【図１３】第３実施例における再生再開処理を示すフローチャートである。
【図１４】第３実施例における再生再開位置設定処理を示すフローチャートである。
【図１５】第４実施例における再生再開位置設定処理を示すフローチャートである。
【符号の説明】
１０、３０…情報再生装置（ＤＶＤオーディオプレーヤ）
１１、３３…音声再生手段（音声デコーダ）
１２、３４…静止画再生手段（静止画デコーダ）
１３、３６…記憶手段、設定手段（システムコントローラ）
１４、３７…記憶手段（記憶部）
【図１】
2004110910.tif 000003
【図２】
2004110910.tif 000004
【図３】
2004110910.tif 000005
【図４】
2004110910.tif 000006
【図５】
2004110910.tif 000007
【図６】
2004110910.tif 000008
【図７】
2004110910.tif 000009
【図８】
2004110910.tif 000010
【図９】
2004110910.tif 000011
【図１０】
2004110910.tif 000012
【図１１】
2004110910.tif 000013
【図１２】
2004110910.tif 000014
【図１３】
2004110910.tif 000015
【図１４】
2004110910.tif 000016
【図１５】
2004110910.tif 000017